(57)【要約】      （修正有）【課題】乳幼児や一部の障害者、老人等食器の扱いが上手くできない人でも、容易に汁物の食材から固形状の食材を選択して摂取可能であり、さらに、食品の咀嚼が不十分あるいは困難な人でも、食品の潰し作業を容易に行えるスプーンを提供する。【解決手段】柄２の先端部に形成されたスプーンヘッド４を有し、このスプーンヘッドのスプーンボウル部４ｂには複数の長孔４ｃが形成され、長孔４ｃは、スプーンボウル部の中心領域の４０％以上を占め、かつ柄の中心軸と平行な方向に形成されている。また柄の後部には平面状の食材押潰し部６が形成され、この食材押潰し部の平面がスプーンヘッドの基準平面と概ね同一の向きに形成されると共に柄の中心軸に対して１０〜４０°傾斜している。【選択図】図１
0003189805.tif 000002
【実用新案登録請求の範囲】
【請求項１】
柄の先端部に形成されたスプーンヘッドを有し、
このスプーンヘッドのスプーンボウル部には複数の長孔が形成され、
前記長孔は、その総合面積がスプーンボウル部の中心領域の４０％以上を占め、かつ柄の中心軸と平行な方向に形成されているスプーン。
【請求項２】
前記長孔１つあたりの大きさは、１秒間あたりの流水量が０．６〜１．４mLとなるように形成されている請求項１のスプーン。
【請求項３】
前記前記長孔は、１つあたり縦１０〜３０mm横１〜４mmの大きさに形成されている請求項１または２のスプーン。
【請求項４】
前記スプーンヘッドのスプーンボウル部はその容量が０．７〜１．３mLとなる大きさである請求項１〜３いずれかのスプーン。
【請求項５】
前記柄の後部には平面状の食材押潰し部が形成され、
この食材押潰し部の平面がスプーンヘッドの基準平面と概ね同一の向きに形成されると共に前記前記柄の中心軸に対して１０〜４０°傾斜している請求項１〜４のいずれかのスプーン。
【考案の詳細な説明】
【技術分野】
【０００１】
本考案は、口の大きさが小さい乳幼児等や、特定の障害者、老人等に食材を食べやすく供給することが可能な飲食用のスプーンに関するものである。
【背景技術】
【０００２】
従来、発達途上の乳幼児や高齢の老人、障害者あるいは病人に食事を与える場合、口が小さかったり、口を大きく開けたり、適切に開くことが困難であることが多く、これらの者に通常の成人用スプーンを使用すると、スプーンボウル部の大きさが大きいため食品を口腔内に運ぶことが困難であった。
【０００３】
また、スプーンを用いて摂取する食材も種々多様な態様があり、完全な固形物から、半固形、流動状食品、いわゆる汁物と呼ばれる液体と固形、半固形状食材とが混在したもの、麺類など様々である。なかでも、上記汁物などを食する際には、介助者などにより液体と固形状食材とを分離して摂取させる作業がしばしば行われている。この場合、通常汁と固形状食材とを一緒に掬い取り、スプーンを容器の壁面に向けて傾け、両者の隙間などから液体成分を漏出させることで、固形状食材だけを選り分ける操作が行われている。
【０００４】
しかし、介助者などが一々上記のような作業を行って食事をさせるのは面倒で手間がかかる。また、健常な成人であれば問題ないが、乳幼児や障害者などに上記のような作業を行わせることは困難であり、これらの者が自力で食事を行う上での障害になっていた。また、小児用のスプーンも種々検討されているが、上記のような問題点に対応できるものはないのが現状である。
【０００５】
実開平１−１５４８７２号公報（特許文献１）には、つゆと具を有する飲食物をすくいとる飲食用具において、すくい部の一部の領域に孔を設けると共に、前記一部の領域を除いた残りの領域で、つゆをすくいとり、孔をスリット状の長孔とした飲食用具が記載されている。
【０００６】
しかし、この文献に記載された飲食用具は、いわゆるレンゲやしゃもじであって、スプーンボウル部を有する通常のスプーンとは異なる。このため口の小さな乳幼児等の飲食用具としては適していない。また、この飲食用具は、固形物だけを濾し取るのではなく、汁と具材の両方または何れかを適当量選り分けてすくいとることができるようにしたものである。このため、すくい部の一部の領域に孔を設け、飲食用具を一定の向きに傾斜させることで孔から汁が流れ落ちるようにし、他の傾斜位置では汁を保持できるようにしている。しかし、食器をうまく扱うことができない乳幼児や、障害者などにはこのような操作は困難である。また、この文献では孔の大きさの最適化についての検討も一切無い。さらに、スプーンボウル部を乳幼児等に適した大きさに設定するという考慮もなされていない。
【０００７】
実開平６−１３６５０号公報（特許文献２）には、汁のなかのラーメンの具を、スプーンで容易にすくいあげることができるようにすることを目的として、スプーンの底に孔をあけ、縁に角度をつけることによって、汁を落とし固形物だけをすくいあげられるように工夫したコーンラーメン用スプーンが記載されている。
【０００８】
しかし、この文献に記載されたスプーンもいわゆるレンゲであって、スプーンボウル部を有する通常のスプーンとは形態が異なっている。従って、口の小さな乳幼児等の食器としては適していない。また、この文献のスプーンも固形物だけを掬い取るのではなく、スプーンの持ち方で汁と具材を選択できるように工夫したものである。具体的には、スプーンの底の後端部にＵ字状の長孔を形成し、スプーン前方の縁を傾斜させることで、スプーンを前傾させたときには汁を保持し、水平にしたときには孔から汁が流れ落ちるようにしている。しかし、食器をうまく扱うことができない乳幼児や、障害者などにはこのような操作は困難である。しかも、この文献でも孔の大きさの最適化についての検討は一切なされていないし、スプーンボウル部を乳幼児等に適した大きさに設定するという考慮もなされていない。
【０００９】
ところで、離乳食期の乳幼児や高齢の老人、一部の障害者、病人に食事を与える場合、これらの者は咀嚼が困難か、その能力が不十分であったり、消化能力が不十分であることが多く、これを補うための処理が行われている。具体的には、柔らかく調理した食材を与えたり、場合によってはおろし金を用いてすり下ろしたり、ミキサー、フードカッター等を用いて砕いたり、押潰ししてペースト状にするなどして食材を与えていた。
【００１０】
しかし、食事の度に上記のような作業を行うのは面倒である。一方、近年ではペースト状に加工された離乳食、老人食、病院食なども提供されているが、一定の段階まで発達が進んだ乳幼児には咀嚼の練習のためにもある程度噛み応えがある食材を与える必要がある。また、一部の老人や障害者、病人等でも食べる喜びを味わうためには可能な限り通常に近い調理をされた食材を与えたり、食べ応えのある食材を与えることが望ましい。このため、食事を行う者の状態に応じて食品の加工程度を容易に調整できる器具があると便利である。
【００１１】
また、離乳期の乳幼児の食事において、母親など成人がかみ砕いた食材を与えることもあるが、このような経口による食材の提供は、虫歯菌、歯周病菌、ピロリ菌などの感染リスクを高めることから、近年問題視されている。このため、手軽な器具を用いて咀嚼に代わる効果を得られるようにすることが望ましい。
【００１２】
一方、スプーンの腹（凸部）などを用いて食材を押潰す作業も行われているが、球面状の凸部で食材を押圧すると食材が安定せず、食材の形状や硬さ等によって押圧力により食材が逃げてしまい、上手く押潰すことができない場合が多い。また、通常のスプーンに対する柄の角度では、押潰し動作時に持ち手に上手く力を加えたり調整することが困難で、この点でも作業を困難にしていた。
【先行技術文献】
【特許文献】
【００１３】
【特許文献１】実開平１−１５４８７２号公報
【特許文献２】実開平６−０１３６５０号公報
【考案の概要】
【考案が解決しようとする課題】
【００１４】
本考案の目的は、乳幼児や一部の障害者、老人等食器の扱いが上手くできないものでも、容易に汁物の食材から固形状の食材を選択して摂取可能なスプーンを提供することである。
また、食品の咀嚼が不十分あるいは困難な者でも、容易に一般の調理食品が摂食可能なように、食品の潰し作業を容易に行えることで、咀嚼を補助できるスプーンを提供することである。
【課題を解決するための手段】
【００１５】
本考案者は、乳幼児等が実際に食事を行ったいるときの実情について調査を行った結果、汁と固形分とを選択的に選り分ける機能より、固形分だけを素早く掬い取る機能が重要であることが分かった。そして、これら乳幼児等のように食器の操作が上手くできないものでも、汁物の食材から固形分だけを素早く容易に取り出すことが可能な食器の形態について種々の検討を行った。その結果、スプーンボウル部と柄を備えた食器において、柄の中心軸と平行な方向に複数の長孔を設けることで、乳幼児等上手く食器を操作できない者でも固形分を上手く濾し取れることを見出した。すなわち、上記目的は以下の構成により達成される。
（１）柄の先端部に形成されたスプーンヘッドを有し、
このスプーンヘッドのスプーンボウル部には複数の長孔が形成され、
前記長孔は、その総合面積がスプーンボウル部の中心領域の４０％以上を占め、かつ柄の中心軸と平行な方向に形成されているスプーン。
（２）前記長孔１つあたりの大きさは、１秒間あたりの流水量が０．６〜１．４mLとなるように形成されている上記（１）のスプーン。
（３）前記前記長孔は、１つあたり縦１０〜３０mm横１〜４mmの大きさに形成されている上記（１）または（２）のスプーン。
（４）前記スプーンヘッドのスプーンボウル部はその容量が０．７〜１．３mLとなる大きさである上記（１）〜（３）いずれかのスプーン。
（５）前記柄の後部には平面状の食材押潰し部が形成され、
この食材押潰し部の平面がスプーンヘッドの基準平面と概ね同一の向きに形成されると共に前記前記柄の中心軸に対して１０〜４０°傾斜している上記（１）〜（４）のいずれかのスプーン。
【考案の効果】
【００１６】
本考案によれば、乳幼児や一部の障害者、老人等食器の扱いが上手くできないものでも、容易に汁物の食材から固形状の食材を選択して摂取することが可能なスプーンを提供することができる。
また、食品の咀嚼が不十分あるいは困難な者でも、容易に一般の調理食品が摂食可能なように、食品の潰し作業を容易に行えることで、咀嚼を補助できるスプーンを提供することができる。
【図面の簡単な説明】
【００１７】
【図１】本考案の第１実施例であるスプーンを示した平面図。
【図２】本考案の第１実施例であるスプーンを示した側面図。
【図３】本考案の第１実施例であるスプーンを示した底面図。
【図４】本考案の第１実施例であるスプーンを示した正面図。
【図５】本考案の第１実施例であるスプーンを示した背面図。
【図６】本考案の第１実施例であるスプーンを示した断面図。
【考案を実施するための形態】
【００１８】
本考案のスプーンは、柄の先端部に形成されたスプーンヘッドを有し、このスプーンヘッドのスプーンボウル部には複数の長孔が形成されているものである。このように、スプーンボウル部に複数の長孔を形成することで、素早く食材の固形分と液体成分とを分離することができ、食器を上手く操作できない乳幼児等でも容易に自力で食事を摂ることができる。
【００１９】
長孔は、各長孔の合計した面積が好ましくはスプーンボウル部の中心領域の４０％以上、より好ましくは５０％以上を占めるようにするとよい。また、その上限としては、スプーンボウル部の中心領域の８０％以下である。長孔が前記領域より小さいと、固形分を濾し摂る速度や機能が低下する。また、長孔の領域が前記領域より大きすぎると、スプーンとして食材を保持する機能が低下しする。ここで、スプーンボウル部の中心領域とはスプーンボウル部の縁の部分を除き、孔が無いとしたときに、実際に液体成分を保持できる部分である。
【００２０】
長孔の数としては、１つでは汁成分を漏出させるのに不十分であり複数個必要であるが、多すぎても上手くスプーンボウル部に形成することが困難である。このため、現実的な数として２〜４個、さらに２，３個が妥当である。また、長孔はその長辺方向が柄の中心軸と平行な方向に形成されているとよい。柄の中心軸と平行な方向に形成することで、少ない数の孔でスプーンボウル部全域の汁成分を上手くボウル部内から除去することができる。この場合、長孔の長手方向の中心線と柄の中心軸とが、角度にして３０°以下、特に２０°以下、特に１０°以下になるようにするとよい。長孔は、孔の寸法における短手方向と長手方向の各最大寸法の比が１：１．４以上、特に１：２以上であるとよい。
【００２１】
長孔１つあたりの大きさは、１秒間における流水量が、好ましくは０．６〜１．４mL、より好ましくは０．８〜１．２mLを確保できる大きさに設定するとよい。ここでの流水量とは、スプーンボウルから液体、好ましくは水が自由落下すると仮定したときの流水量である。長孔の具体的な寸法としては、１つあたり好ましくは縦１０〜３０mm、横１〜４mm、より好ましくは縦１３〜２５mm、横１．６〜３mmの大きさにするとよい。
【００２２】
本考案のスプーンヘッドは、通常のスプーンのスプーンヘッドと概ね同様であり、その大きさや形状も周知の形状大きさに即したものでもよい。但し、乳幼児等のように口が小さかったり、一部の障害者、老人等のように口を大きく開けることが困難な者に対しては、一般のスプーンヘッドより、小さくするか縦長の形状にするとよい。
【００２３】
このため、本考案で推奨されるスプーンヘッドのボウル状凹部は食品を少量保持できる程度の大きさ形状であればよい。ボウル状凹部における保持量は、使用者の食事一回分に相当する。その容量、つまり凹部内に保持できる液量としては特に限定されるものではないが、離乳期の乳幼児の場合好ましくは０．５mL〜２．５mL、より好ましくは０．７〜１．３mLである。容量が前記範囲を越えると、乳幼児においては一回の摂取量としては多過ぎて溢したり、吐き出したりする場合がある。一方、容量が少ないと回数を多くして与えなければならず、食事支援者や介護人の負担が多くなる。ボウル状凹部の深さとしては内底最深部から上端面までの深さで通常、３mm〜１０mm程度である。
【００２４】
本考案のスプーンは、必要に応じて前記柄の後部に平面状の食材押潰し部（squash region）を形成してもよい。この食材押潰し部の平面はスプーンヘッドの基準平面と概ね同一方向の向きに形成されると共に前記柄の中心軸に対して１０〜４０°傾斜するように形成するとよい。
【００２５】
このように、スプーンの柄に食材を押潰して加工できる食材押潰し部を形成することで、食事の際に簡単に食材を加工することができる。また、食材押潰し部は平面状に形成されているので、押圧の際に食材が逃げることなく、安定した状態で押潰すことができる。
【００２６】
本考案において、食材押潰し部は柄の後部に形成されている。ここで柄の後部とは、スプーンまたはフォークヘッドが形成されている柄の先端部とは反対の後端から柄の中央部方向に続く連続した領域であり、通常柄の中央より後端側である。
【００２７】
食材押潰し部は、平面状に形成されている。前述したように平面状に形成することで、安定して押潰し動作を行え、作業も容易であると共に、デザイン上も柄との統一を図ることができる。この食材押潰し部の面はスプーンヘッドの基準平面と概ね同一方向の向きに形成されている。ここで、スプーンヘッドの基準平面とは、スプーンボウル周縁部の上面の５０％以上を含むか接するような平面である。前記基準平面と概ね同一方向の向きとは、押潰し部の面が向く方向つまり、押潰し面の垂線方向と、基準平面の向く方向、つまり基準平面の垂線方向ととが略同様であることをいい、例えば前記双方の垂線の１０°未満の角度のずれなどは許容範囲となる。
【００２８】
食材押潰し部の平面は、柄の中心軸に対する角度θ1が１０〜４０°、好ましくは１２〜３０°、より好ましくは１５〜２５°傾斜している。食材押潰し部の平面を柄の中心軸に対して傾斜させることで、持ち手の力を加えやすくなり押潰し作業が容易になる。角度が小さすぎると、作業を行い難くなり、大きすぎると平面の面積を確保し難くなる。ここで、柄の中心軸とはスプーンヘッドに接続する接合部の中央と柄の後部であって食材押潰し部手前の中央とを結ぶ直線をいう。さらに、柄の基準平面とは柄の両側縁の５０％以上を通るか含むような平面である。なお、これらは近似値を用いて規定してもよい。
【００２９】
食材押潰し部の平面の大きさとしては、特に限定されるものではないが食材の押潰し作業を十分に行うことが可能な大きさが必要である。一方、柄の後部に形成することから、柄の横幅と同等あるいは僅かに大きくなるなど、柄の横幅からあまり大きくならない程度の幅に納めるべきである。また、柄の横幅を食材押潰し部の平面に合わせてある程度大きくしてもよい。この場合、持ち手としての機能に支障のない範囲の大きさに納めることに留意すべきである。あるいは、食材押し潰し部だけを大きくしてもよいが、大きすぎると取り扱いやデザイン上支障が生じることがある。具体的な大きさとしては、好ましくは幅：７〜１１mm、より好ましくは幅：５〜１５mmであり、長さ：１６〜２０mm、より好ましくは長さ：１０〜２２mmである。また、食材押潰し部の平面の面積としては好ましくは５０mm2 以上、特に１００mm2 以上が好ましく、その上限は他の機能に支障が出ない程度であれば特に限定されるものではない。具体的には３６０mm2 以下程度である。
【００３０】
食材押潰し部の平面は、必ずしも平坦面である必要はなく、必要に応じてある程度湾曲していたり、複数の曲面を組み合わせたような凹凸形状をしていてもよい。湾曲させる場合には、あまり丸みを持たせると押潰し作業に却って支障が出るので、ある程度の曲率以上にすべきである。具体的には曲率半径Rは８０mm以上が好ましく、より好ましくは１００mm以上、特に１６０mm以上である。この場合、曲率半径の中心は押潰し部平面の裏側に位置する。また、湾曲方向も一定方向にのみ湾曲させてもよいが、複数方向に湾曲させてもよい。複数方向に湾曲させる場合、各湾曲の曲率が異なるようにしてもよい。この場合、少なくとも柄の中心軸方向と同一方向、つまり柄の縦断面において円弧を描くように湾曲させることが重要である。このような方向に湾曲させることで、食材押潰し部を押しつけた状態で円弧を描くように柄を動作させて、押潰し作業を行うことができ、押潰し作業がより効果的に行える場合がある。また、柄の中心軸方向と直交する方向の湾曲形状は、柄の形状に即した形、すなわち柄本体の形状と一体化できるような形状になっているとよい。
【００３１】
食材押潰し部は、押潰し、あるいはすりつぶしの効果を向上させるために、微少な凹凸ないし凸部６ｃを設けてもよい。凹凸ないし凸部は食材押潰し部全面に設けてもよいし、一部に設けてもよい。凹凸ないし凸部を一部に設ける場合には、凹凸ないし凸部が一定の模様を形成して、意匠性を付与するようにしてもよい。凹凸ないし凸部の大きさはあまり大きくない方が望ましく、例えば凹部と凸部の最大高低差あるいは凸部の高さで０．３〜３mm程度であればよい。また、凹凸ないし凸部の形状も特に限定されるものではないが、複数の突起を設けたり、畝状、帯状の単独または複数の凸部を柄の中心軸とは直交する方向に形成してもよい。
【００３２】
本考案のスプーンは、上記長孔や食材押潰し部に関する記述で特定された構成を除き通常使用されているスプーンと概ね同様な構成である。すなわち、持ち手となる柄と、この柄の先端に形成されているスプーンヘッドを有し、スプーンヘッドは、柄に繋がる首部とスプーンヘッド本体を有する。
【００３３】
本考案における柄は、必要な場合には食材押潰し部を形成するすることができ、前記スプーンヘッドを所定の角度で固定可能であり、スプーンヘッドを操作する持ち手として機能することができる形状であれば特に限定されるものではない。
【００３４】
スプーン全体の大きさとしては、使用者や使用状況に合わせて好適な大きさとすればよい、具体的には幼児から小児向けのスプーンでは先端から後端までの長さで９０〜１４０mm程度である。
【００３５】
本考案のスプーンを構成する材料は特に限定されるものではなく、通常のスプーンに使用されている合成樹脂、合成ゴム、天然ゴム、天然繊維などや、ステンレス鋼、真鍮、アルミニウム、銀、鉄等の金属材料の１種または２種以上を組み合わせて用いることができる。特にポリエチレン、ポリプロピレン、ポリ塩化ビニル、ポリスチレン、ＡＢＳ樹脂、ＡＳ樹脂、アクリル樹脂等の熱可塑性樹脂が好ましい。また、柄の部分と先端のスプーンまたはフォークヘッドとを異なる材料により形成してもよい。さらに、柄には滑り止めや、持ち手形状を付与する構造、指の位置を規制するためのストッパーや固定構造を設けてもよい。具体的にはエラストマー等を部分的に配置することで滑り止めや触感を改善させることができる。
【実施例１】
【００３６】
次に実施例を示して本考案をより詳細に説明する。図１〜６は、本考案の第１実施例であるスプーンを示した図である。ここで、図１は実施例１のスプーンの平面図、図２は側面図、図３は底面図、図４は正面図、図５は背面図、図６は図１のスプーンの縦断面Ａ−Ａ’矢視図である。
【００３７】
図１〜６において、スプーンは、柄２と柄の先端部に形成されたスプーンヘッド４とを有する。スプーンヘッド４は柄２に接続される接合部と、この接合部からなだらかに拡大すると共に前部で円弧状に閉じ、内部に凹面を形成したいわゆるスプーン形状のスプーンボウルを有する。スプーンボウルは周縁部４ａとその中にあるいわゆる中心領域としての凹部４ｂからなり、その外形は接合部の方向から滴下するような液滴形状あるいは楕円に近似される。凹部４ｂは通常のスプーン同様凹曲面により形成され、この凹曲面内に食材が保持される。このため、その大きさは使用する者の食事に最適な大きさに調整される。例えば、通常の動作で口を開けたときに、口腔内に容易に挿入でき、ある程度食べ物も収納できる大きさと形状に調整すればよい。
【００３８】
スプーンヘッド４のスプーンボウル部には複数、この例では２つの長孔４ｃが形成されている。長孔４ｃは、スプーンボウル部の中心領域４ｂのおおよそ５０％以上を占め、柄の中心軸と平行な方向に形成されている。具体的には長孔の長手方向の中心線と柄の中心軸との間の角度が１０°以下になっている。この長孔は、１秒間における流水量が０．８〜１．２mLを確保できる大きさに設定されている。長孔４ｃの具体的な寸法としては、１つあたり縦１５〜２５mm、横２〜３mm程度である。
【００３９】
柄２は、棒状また板厚の細長い構造物であり、この例では図１に示されるようにスプーンヘッド４を含む長手方向の平面形状において中央部２ａが括れ両端が幅広のバタフライ形状に近似される。また、図２に示されるように、側面形状においては接合部から後部にかけて暫時厚みが増す細長の三角形に近似される形状をなしている。
【００４０】
柄２の後部には、平らな面状の食材押潰し部６が形成されている。柄２の平面形状において食材押潰し部６の一端側である開始位置６ａの幅が最大であり、そこから後端に向かって僅かずつ幅が狭くなる先細形状になっている。また後端部は矩形の角を丸くするか、あるいは先端部を円弧状にした形状をなしている。これにより、先端部分ではいくらか先細の鋭角的な、また後部では幅広のへら状の器具として機能できるようになっている。
【００４１】
食材押潰し部６は、また図２の縦断面に示されるように、その平面が柄２の中心軸から１５〜２５°程度傾いている。このように、柄の中心軸に対してある程度傾かせることで、押潰し動作の時に柄に力を加えやすくなり、押潰し作業が容易になる。また、柄２の横断面は、中央の括れ部から徐々に厚みが増し、食材押潰し部６の一端側である前方縁６ａで最大になっている。そして、後端部６ｂに向かって傾斜した平面と相俟って厚みが減少して行き、後端部６ｂで最小となっている。また、後端部６ｂの縁は安全上の理由からある程度丸みを持たせている。
【００４２】
食材押潰し部６は、押潰し、あるいはすりつぶしの効果を向上させるために、微少な凹凸ないし凸部６ｃが形成されている。凹凸ないし凸部６ｃはこの例では一部に複数、図示例では４条の畝状、帯状の凸部が形成されているが、食材押潰し部６全面に設けてもよい。さらに、この例では凸部は前方縁６ａ側が長く、後端側が短く形成され、前方縁６ａ側ではスプーンヘッド側に円弧中心があるように湾曲している。凹凸ないし凸部の大きさは、凸部の最大高さで０．８〜２．６mm程度である。
【００４３】
この実施例のスプーンは標準タイプであるためボウル状凹部４ｂにおける保持量は、離乳期の乳幼児の場合０．５mL〜２．５mL程度、ボウル状凹部４ｂの深さとしては上端面から内底最深部からまでの深さで３mm〜１０mm程度に設定するとよい。また、柄２の長さはスプーンヘッドの３．５〜４．５倍程度であるが、使用する者の手の大きさに合わせて調整すればよい。また、スプーンヘッドの大きさも使用する者の口の大きさに合わせて調整される。具体的なスプーンの大きさとしては、幼児から小児向けのスプーンでは先端から後端までの長さで９０〜１４０mm、好ましくは１００〜１２５mm程度である。
【産業上の利用可能性】
【００４４】
本考案のスプーンは、食品を液体と固形成分に選り分ける能力が高く、食事を非常に効率よく行わせることができ、一般の成人や青少年はもとより、発達段階の乳幼児、小児に好適に用いることができる。また、食器取り扱いの練習にも適している。さらに、食器の取り扱いが困難な障害者や老人などにも用いることができる。
【符号の説明】
【００４５】
２    柄
４    スプーンヘッド
４ａ  縁部
４ｂ  凹部
４ｃ  長孔
６    食材押潰し部
６ｃ  凸部
【図１】
0003189805.tif 000003
【図２】
0003189805.tif 000004
【図３】
0003189805.tif 000005
【図４】
0003189805.tif 000006
【図５】
0003189805.tif 000007
【図６】
0003189805.tif 000008